(57)【要約】  貨幣処理機（１０）は、貨幣の収納を行う貨幣収納部（４０）と、筐体（１１）の外部から内部に取り込まれた貨幣をリサイクル式貨幣収納部（２７、３４）に一時的に収納する貨幣リサイクル処理機構（２０、３０）とを備えている。貨幣リサイクル処理機構（２０、３０）は第１の管理権限下にあり、貨幣収納部（４０）は第２の管理権限下にある。制御部１５は、引渡命令を受けると、リサイクル式貨幣収納部（２７、３４）に収納された貨幣を貨幣収納部（４０）に送る引渡処理を行い、締め命令を受けると、所定期間内に引渡処理が行われた貨幣の金額または金種毎の数量である締め金額を集計する締め処理を行い、締め連動引渡命令を受けると、引渡処理を行い、引渡処理の終了後に引き続き締め処理を自動的に行う締め連動引渡処理を行う。
2010016102.tif 000002
【特許請求の範囲】
【請求項１】
貨幣の処理を行う貨幣処理機であって、
筐体と、
前記筐体内に設けられ、第１の管理権限下にある貨幣リサイクル処理機構と、
前記筐体内に設けられ、第２の管理権限下にある貨幣収納部と、
を備え、
前記貨幣収納部は、貨幣の収納を行うようになっており、
前記貨幣リサイクル処理機構は、前記筐体の外部から内部に取り込まれた貨幣をリサイクル式貨幣収納部に一時的に収納するとともに、このリサイクル式貨幣収納部に収納された貨幣または前記筐体の外部から内部に取り込まれた貨幣を前記貨幣収納部に送ったり前記筐体の外部に返却したりするようになっており、
締め連動引渡命令を受けると、前記貨幣リサイクル処理機構の前記リサイクル式貨幣収納部に収納された貨幣を前記貨幣収納部に送る引渡処理を行い、前記引渡処理の終了後に引き続き、所定期間内に前記引渡処理が行われた貨幣の金額または金種毎の数量である締め金額を集計する締め処理を行う締め連動引渡処理を行う制御部が更に設けられていることを特徴とする貨幣処理機。
【請求項２】
前記制御部は、前記締め連動引渡命令とともに締め金額に係る情報を受けると、当該締め金額から、前記所定期間内にそれまでに前記引渡処理が行われた貨幣の金額を減算した金額に係る貨幣について前記引渡処理を行った後、前記締め処理を行うことを特徴とする請求項１記載の貨幣処理機。
【請求項３】
前記制御部は、前記締め連動引渡命令とともに引渡金額に係る情報を受けると、当該引渡金額分の貨幣について前記引渡処理を行った後、前記締め処理を行うことを特徴とする請求項１記載の貨幣処理機。
【請求項４】
前記制御部は、前記締め連動引渡命令とともに残置金額または残置する金種毎の枚数に係る情報を受けると、当該残置金額または残置する金種毎の枚数に係る貨幣を前記リサイクル式貨幣収納部に残し、余剰分の貨幣について前記引渡処理を行った後、前記締め処理を行うことを特徴とする請求項１記載の貨幣処理機。
【請求項５】
前記制御部は、前記締め連動引渡命令のみを受けると、予め設定された金額または予め設定された金種毎の枚数の貨幣を前記リサイクル式貨幣収納部に残し、余剰分の貨幣について前記引渡処理を行った後、前記締め処理を行うことを特徴とする請求項１記載の貨幣処理機。
【請求項６】
前記制御部は、前記リサイクル式貨幣収納部に収納される貨幣の量が所定量に達したときに、前記リサイクル式貨幣収納部に収納される貨幣の量が、前記所定量よりも少ない予め設定された収納量になるまで前記引渡処理を行い、前記引渡処理の終了後に引き続き前記締め処理を自動的に行うことを特徴とする請求項１記載の貨幣処理機。
【請求項７】
請求項１記載の貨幣処理機と、
前記貨幣処理機とは隔離して設けられ、当該貨幣処理機と通信接続されている中央制御装置と、
を備え、
前記制御部は、前記締め処理を行った後、前記締め金額に係る情報を前記中央制御装置に送信することを特徴とする貨幣入出金処理システム。
【発明の詳細な説明】
【技術分野】
【０００１】
本発明は、貨幣の処理を第１の管理権限下または第２の管理権限下で行う貨幣処理機およびこの貨幣処理機を備えた貨幣入出金処理システムに関する。なお、本明細書における「貨幣」は紙幣であっても硬貨であってもよい。
【背景技術】
【０００２】
従来より、店舗等において売上金等の貨幣の入金処理、釣銭等の貨幣の出金処理、および売上金等の回収業務を委託された警備会社の警備員等の収集特定者への貨幣の引渡処理を行う貨幣処理機が知られている。このような貨幣処理機は、貨幣の収納を行う貨幣収納部と、筐体の外部から内部に取り込まれた貨幣を一時的に収納するとともに、この収納された貨幣または筐体の外部から内部に取り込まれた貨幣を貨幣収納部に送ったり筐体の外部に返却したりする貨幣リサイクル処理機構と、を備えている。貨幣リサイクル処理機構に収納された貨幣（上部の貨幣）と、貨幣収納部に収納された貨幣（下部の貨幣）の管理権限は区別されており、前者の管理権限は貨幣処理機に対して入金処理や出金処理を行う店舗側にあり、後者の管理権限は貨幣処理機から紙幣の回収を行う収集特定者側にある。よって、貨幣処理機の上部の貨幣に対する入金処理、出金処理、引渡処理等の操作や、上部の貨幣の入出金情報や在高データへのアクセスは店舗側の権限のある操作者のみが行うことができ、一方、貨幣処理機の下部の貨幣の回収は収集特定者のみが行うことができる。【０００３】
例えば特許第３７１１０６８号には、上述のような貨幣処理機において締め処理が行われることが開示されている。より具体的には、特許第３７１１０６８号に開示される現金管理システムは、センターと、店舗に設置される入金機とから構成されている。そして、特許第３７１１０６８号における現金管理システムでは、当該現金管理システムに締め命令が送られると、入金機で締め処理を行い、締めデータが入金機からセンターに送信される。その後、センターは、受信した締めデータに係る金額の振り込み処理を銀行に対して行う。【０００４】
一方、例えば特開２００３−１４１６０９号公報には、上述のような貨幣処理機において引渡処理が行われることが開示されている。より具体的には、特開２００３−１４１６０９号公報に開示される店舗用入出金装置では、当該店舗用入出金装置に入金された現金を、店舗の釣銭等として出金される店舗準備金と、金融機関への送金対象となり出金されることのない店舗売上金とを区別して管理するようになっている。そして、店舗用入出金装置に入金された現金のうち、店舗売上金は警備会社等の回収業者によって回収される。ここで、特開２００３−１４１６０９号公報における店舗用入出金装置では、店舗準備金を収納しているリサイクル収納部から店舗売上金を収納しているカセット収納部へ貨幣を搬送する引渡処理が行われると、店舗準備金は店舗売上金へと管理区分が変更されるようになっている。引渡処理では、予め設定された金額の貨幣をリサイクル収納部からカセット収納部へ搬送する設定金額引渡モードと、リサイクル収納部に収納されている全ての貨幣をカセット収納部へ搬送する全額引渡モードとがある。特開２００３−１４１６０９号公報における店舗用入出金装置は、警備会社等の回収業者のセンターに通信回線を介して接続されており、店舗売上金に係るデータを店舗用入出金装置からセンターに送信するようになっている。
【発明の開示】
【０００５】
上述のように、例えば特許第３７１１０６８号に示すような店舗用入出金装置では、当該店舗用入出金装置に締め命令が送られると、前回の締め処理から今回の締め処理までの間に引渡処理が行われた金額（締め金額）の集計を行う締め処理が行われ、センターに締め金額が送信される。締め金額を受信したセンターは、この締め金額に基づいて銀行に対して振り込み処理等を行う。ここで、センターに締め金額等のデータを送信する締め処理と、入出金装置内で管理権限を変更する引渡処理とは別個のものであり、それぞれ操作者が締め命令や引渡命令等の命令を行うことにより各々の処理を行う必要がある。
【０００６】
しかしながら、店舗の営業の終了後に現金の処理を行う場合等においては、意図する締め金額とするために引渡処理を行った後、続けて締め処理を行う場合がある。この場合、前回の締め処理以降に既に引渡処理を行った金額を、意図する締め金額から減算した引渡金額を求め、この引渡金額を入力して引渡処理を行う必要がある。このため、操作者に要求される作業が煩雑になるという問題がある。また、引渡処理が終了してから締め処理を行う必要があるため、引渡処理が終わるまで操作者は待機する必要がある。
【０００７】
とりわけ、店舗の営業の終了後等、多くの業務を短時間で行う必要がある場合においては、操作者に待機時間が発生すると作業効率が悪くなってしまうという問題がある。ここで、引渡処理の操作を行った後で他の業務を行い、引渡処理の終了後に改めて締め処理を行うこともできるが、操作者は２度操作を行う必要があるため、２度目の操作を忘れてしまい、締め処理が行われないまま放置されてしまうおそれもある。
【０００８】
また、意図する金額を貨幣リサイクル処理機構に残し、余剰分の貨幣を貨幣収納部に引き渡す場合においても、引渡処理における操作者による金額の入力は上述のような場合に比べて簡単になるものの、引渡処理が終わるまで操作者は待つ必要があるということには変わりがなく、操作者の作業効率が悪くなってしまうという問題がある。
【０００９】
本発明は、このような点を考慮してなされたものであり、一度の操作により引渡処理およびこの引渡処理に引き続く締め処理の両方を行うことができ、このため操作者が引渡処理を行った後に待機する必要がなくなるので、操作者の作業効率を向上させることができる貨幣処理機およびこの貨幣処理機を備えた貨幣入出金処理システムを提供することを目的とする。
【００１０】
本発明の貨幣処理機は、貨幣の処理を行う貨幣処理機であって、筐体と、前記筐体内に設けられ、第１の管理権限下にある貨幣リサイクル処理機構と、前記筐体内に設けられ、第２の管理権限下にある貨幣収納部と、を備え、前記貨幣収納部は、貨幣の収納を行うようになっており、前記貨幣リサイクル処理機構は、前記筐体の外部から内部に取り込まれた貨幣をリサイクル式貨幣収納部に一時的に収納するとともに、このリサイクル式貨幣収納部に収納された貨幣または前記筐体の外部から内部に取り込まれた貨幣を前記貨幣収納部に送ったり前記筐体の外部に返却したりするようになっており、締め連動引渡命令を受けると、前記貨幣リサイクル処理機構の前記リサイクル式貨幣収納部に収納された貨幣を前記貨幣収納部に送る引渡処理を行い、前記引渡処理の終了後に引き続き、所定期間内に前記引渡処理が行われた貨幣の金額または金種毎の数量である締め金額を集計する締め処理を行う締め連動引渡処理を行う制御部が更に設けられていることを特徴とする。
【００１１】
このような貨幣処理機においては、貨幣リサイクル処理機構は第１の管理権限下にあり、貨幣収納部は第２の管理権限下にある。そして、制御部は、引渡命令を受けると、貨幣リサイクル処理機構の前記リサイクル式貨幣収納部に収納された貨幣を貨幣収納部に送る引渡処理を行い（この際に、引渡処理が行われた貨幣は第１の管理権限下から第２の管理権限下に変更される）、締め命令を受けると、所定期間内に（具体的には前回の締め処理から今回の締め処理までの間に）引渡処理が行われた貨幣の金額または金種毎の数量である締め金額を集計する締め処理を行い、締め連動引渡命令を受けると、引渡処理を行い、引渡処理の終了後に引き続き締め処理を自動的に行う締め連動引渡処理を行うようになっている。このため、引渡処理の後に締め処理を引き続き行いたい場合には、制御部に対して締め連動引渡命令を送るだけで、一度の操作により引渡処理およびこの引渡処理に引き続く締め処理の両方を行うことができ、このため操作者が引渡処理を行った後に待機する必要がなくなる。このことにより、操作者の作業効率を向上させることができる。
【００１２】
本発明の貨幣処理機においては、前記制御部は、前記締め連動引渡命令とともに締め金額に係る情報を受けると、当該締め金額から、前記所定期間内にそれまでに前記引渡処理が行われた貨幣の金額を減算した金額に係る貨幣について前記引渡処理を行った後、前記締め処理を行うことが好ましい。
【００１３】
本発明の貨幣処理機においては、前記制御部は、前記締め連動引渡命令とともに引渡金額に係る情報を受けると、当該引渡金額分の貨幣について前記引渡処理を行った後、前記締め処理を行うことが好ましい。
【００１４】
本発明の貨幣処理機においては、前記制御部は、前記締め連動引渡命令とともに残置金額または残置する金種毎の枚数に係る情報を受けると、当該残置金額または残置する金種毎の枚数に係る貨幣を前記リサイクル式貨幣収納部に残し、余剰分の貨幣について前記引渡処理を行った後、前記締め処理を行うことが好ましい。
【００１５】
本発明の貨幣処理機においては、前記制御部は、前記締め連動引渡命令のみを受けると、予め設定された金額または予め設定された金種毎の枚数の貨幣を前記リサイクル式貨幣収納部に残し、余剰分の貨幣について前記引渡処理を行った後、前記締め処理を行うことが好ましい。
【００１６】
本発明の貨幣処理機においては、前記制御部は、前記リサイクル式貨幣収納部に収納される貨幣の量が所定量に達したときに、前記リサイクル式貨幣収納部に収納される貨幣の量が、前記所定量よりも少ない予め設定された収納量になるまで前記引渡処理を行い、前記引渡処理の終了後に引き続き前記締め処理を自動的に行うことが好ましい。
【００１７】
本発明の貨幣入出金処理システムは、上述の貨幣処理機と、前記貨幣処理機とは隔離して設けられ、当該貨幣処理機と通信接続されている中央制御装置と、を備え、前記制御部は、前記締め処理を行った後、前記締め金額に係る情報を前記中央制御装置に送信することを特徴とする。
【図面の簡単な説明】
【００１８】
【図１Ａ】本発明の一の実施の形態における貨幣入出金処理システムの構成を示すブロック図である。
【図１Ｂ】本発明の一の実施の形態における貨幣入出金処理システムの他の構成を示すブロック図である。
【図２】図１Ａや図１Ｂに示す貨幣入出金処理システムにおける貨幣処理機を示す斜視図である。
【図３Ａ】図２に示す貨幣処理機における紙幣処理装置の構成の概略を示す概略構成図である。
【図３Ｂ】図２に示す貨幣処理機における硬貨処理装置の構成の概略を示す概略構成図である。
【図４】図２に示す貨幣処理機における制御ブロック図である。
【図５Ａ】図２に示す貨幣処理機の紙幣処理装置における引渡処理の一連の動作を示す説明図である。
【図５Ｂ】図２に示す貨幣処理機の紙幣処理装置における引渡処理の一連の動作を示す説明図である。
【図６Ａ】図２に示す貨幣処理機の硬貨処理装置における引渡処理の一連の動作を示す説明図である。
【図６Ｂ】図２に示す貨幣処理機の硬貨処理装置における引渡処理の一連の動作を示す説明図である。
【図７Ａ】図２に示す貨幣処理機の紙幣処理装置における大量引渡処理の一連の動作を示す説明図である。
【図７Ｂ】図２に示す貨幣処理機の紙幣処理装置における大量引渡処理の一連の動作を示す説明図である。
【図７Ｃ】図２に示す貨幣処理機の紙幣処理装置における大量引渡処理の一連の動作を示す説明図である。
【図８Ａ】図２に示す貨幣処理機の硬貨処理装置における大量引渡処理の一連の動作を示す説明図である。
【図８Ｂ】図２に示す貨幣処理機の硬貨処理装置における大量引渡処理の一連の動作を示す説明図である。
【図８Ｃ】図２に示す貨幣処理機の硬貨処理装置における大量引渡処理の一連の動作を示す説明図である。
【発明を実施するための最良の形態】
【００１９】
以下、図面を参照して本発明の一の実施の形態の貨幣処理機およびこの貨幣処理機を備えた貨幣入出金処理システムについて説明する。本実施の形態に係る貨幣処理機は、収集特定者側に管理権限がある貨幣収納部と、店舗側に管理権限がある貨幣リサイクル処理機構とを１つの筐体内に有するものである。【００２０】
本実施の形態に係る貨幣処理機は、硬貨および紙幣からなる貨幣の補充処理、納金処理、出金処理、引渡処理、大量引渡処理、両替処理、逆両替処理、精査処理、計数処理、締め処理、締め連動引渡処理、警備回収処理等を行う機能を有するものである。図１乃至図８は、本発明の一の実施の形態における貨幣処理機およびこの貨幣処理機を備えた貨幣入出金処理システムを示す図である。このうち、図１Ａは、本実施の形態の貨幣入出金処理システムの構成を示すブロック図であり、図１Ｂは、本実施の形態における貨幣入出金処理システムの他の構成を示すブロック図である。また、図２は、図１Ａや図１Ｂに示す貨幣入出金処理システムにおける貨幣処理機を示す斜視図である。また、図３Ａは、図２に示す貨幣処理機における紙幣処理装置の構成の概略を示す概略構成図であり、図３Ｂは、図２に示す貨幣処理機における硬貨処理装置の構成の概略を示す概略構成図である。また、図４は、図２に示す貨幣処理機における制御ブロック図である。また、図５乃至図８は、図２に示す貨幣処理機の紙幣処理装置または硬貨処理装置における引渡処理や大量引渡処理の動作を示す説明図である。【００２１】
図１Ａに示すように、本実施の形態の貨幣入出金処理システムは、店舗内に設置された貨幣処理機１０と、この貨幣処理機１０からそれぞれ隔離して店舗外に設けられた現金センター１３およびデータセンター１４とを備えている。現金センター１３およびデータセンター１４には、それぞれ中央制御装置が設置されている。以下の記載において、現金センター１３やデータセンター１４とは、それぞれ中央制御装置を意味している。貨幣処理機１０にはコントローラ１２が設けられており、このコントローラ１２は現金センター１３に有線または無線により通信接続されており、現金センター１３に対して信号の送受信を行うようになっている。このことにより、コントローラ１２を介して現金センター１３から貨幣処理機１０に対して遠隔操作を行うことができるようになっている。ここで、コントローラ１２は貨幣処理機１０に対して例えばＬＡＮ等により接続される通信制御装置や端末、もしくは、貨幣処理機１０に内蔵された通信部等である。【００２２】
また、図１Ａに示すように、現金センター１３とデータセンター１４とは有線または無線により互いに通信接続されており、現金センター１３とデータセンター１４との間で様々なデータの送受信が行われるようになっている。このため、貨幣処理機１０からコントローラ１２を介して現金センター１３に送られた、貨幣処理機１０における紙幣や硬貨等の貨幣の処理状況に係る情報はデータセンター１４にも送られるようになっている。本発明においては、現金センター１３およびデータセンター１４にそれぞれ中央制御装置が設けられている。しかしながら、中央制御装置はこのような例に限定されることはなく、例えば現金センター１３のみ、あるいはデータセンター１４のみに設けられていてもよい。貨幣処理機１０、コントローラ１２、現金センター１３およびデータセンター１４の構成の詳細については後述する。【００２３】
本実施の形態の貨幣入出金処理システムの構成は図１Ａに示すようなものに限定されることはなく、代わりに図１Ｂに示すようなものとすることもできる。図１Ｂに示すような貨幣入出金処理システムは、貨幣処理機１０と、この貨幣処理機１０からそれぞれ隔離して店舗外に設けられた現金センター１３およびデータセンター１４とを備えている点では図１Ａに示す貨幣入出金処理システムと略同一の構成となっているが、この貨幣処理機１０に設けられるコントローラ１７は機能の拡張性の高いコントローラとなっている。【００２４】
コントローラ１７は、現金センター１３およびデータセンター１４にそれぞれ有線または無線により通信接続されており、現金センター１３およびデータセンター１４に対してそれぞれ信号の送受信を行うようになっている。【００２５】
図１Ｂに示す貨幣入出金処理システムにおけるコントローラ１７は機能の追加が可能であり、プリンタ１７ａ、カードリーダ１７ｂ、スキャナー１７ｃをそれぞれ接続することができるようになっている。プリンタ１７ａは、貨幣処理機１０における紙幣や硬貨等の貨幣の処理状況に係る情報等を印刷するよう構成されている。また、カードリーダ１７ｂは、貨幣処理機１０に備えているカードリーダに加えて接続でき、操作者が携帯しているＩＤカードのＩＤ情報を読み取るよう構成されている。そして、コントローラ１７に入力された操作者のＩＤ情報に係る信号により、操作者の識別が行われるようになっている。また、スキャナー１７ｃは、紙幣の記番号やバーコード等を撮像するよう構成されている。また、このコントローラ１７はルーターとしての機能も有している。【００２６】
また、コントローラ１７には操作者のパーソナルコンピュータ１７ｄを接続することも可能となっている。この場合、コントローラ１７に接続されたパーソナルコンピュータ１７ｄにより操作者が貨幣処理機１０の操作を行うことができることとなる。また、このパーソナルコンピュータ１７ｄは、後述するデータセンター１４とも送受信可能とすることができるようになっている。【００２７】
次に、図１Ａや図１Ｂに示す貨幣処理機１０の構成の詳細について図２乃至図４を用いて説明する。【００２８】
図２Ａに示すように、貨幣処理機１０は略直方体形状の筐体１１を備えており、この筐体１１には、貨幣処理機１０を前方から見て右側に配置された紙幣処理装置２０と、左側に配置された硬貨処理装置３０とがそれぞれ左右に並ぶよう設けられている。また、貨幣処理機１０の筐体１１において、紙幣処理装置２０および硬貨処理装置３０の下方には、硬貨および紙幣の収納を行う貨幣収納部４０が設けられている。ここで、紙幣処理装置２０や硬貨処理装置３０は店舗側に管理権限がある。一方、貨幣収納部４０は収集特定者側に管理権限がある。【００２９】
以下、紙幣処理装置２０、硬貨処理装置３０および貨幣収納部４０の各構成要素について詳述する。【００３０】
まず、紙幣処理装置２０の構成について図２および図３Ａを用いて説明する。図２および図３Ａに示すように、紙幣処理装置２０は、当該紙幣処理装置２０内への紙幣の取り込みを行う紙幣投入口２１と、紙幣処理装置２０内に取り込まれた紙幣のうち偽札や識別不能な紙幣等のリジェクトを行う紙幣リジェクト口２２と、紙幣処理装置２０内に取り込まれた紙幣のうち貨幣収納部４０に収納されない紙幣を紙幣処理装置２０の外部に返却する紙幣返却口２３とを備えている。また、図２に示すように、紙幣処理装置２０の内部には、紙幣投入口２１に投入された紙幣を紙幣処理装置２０内で搬送する搬送部２５が設けられている。【００３１】
紙幣投入口２１は、操作者により１または束状態の複数の紙幣が短手方向に一括して投入されるよう構成されている。図２に示すように、この紙幣投入口２１には紙幣ステージ２８が配設されている。この紙幣ステージ２８は、待機時には上昇位置にありこの際には操作者は紙幣投入口２１に紙幣を投入することができず、一方、紙幣の処理時には下降して操作者が紙幣投入口２１に紙幣を投入することができるように構成されている。図３Ａに示すように、紙幣投入口２１は搬送部２５に接続されており、紙幣投入口２１に投入された１または束状態の複数の紙幣は、１枚ずつ搬送部２５で搬送されるようになっている。【００３２】
紙幣リジェクト口２２は、図３Ａに示すように搬送部２５に接続されており、紙幣投入口２１により紙幣処理装置２０内に取り込まれた紙幣のうち後述する識別部２６によりリジェクトすべき紙幣であると識別された紙幣が搬送部２５から送られるようになっている。操作者はこの紙幣リジェクト口２２に送られた紙幣を取り出すことができるようになっている。また、紙幣リジェクト口２２は、釣銭等を出金するための出金口を兼ねている。紙幣リジェクト口２２にはカバー（図示せず）が設けられており、待機時にはこのカバーは開状態となっており、処理時にはこのカバーは閉状態となる。【００３３】
紙幣返却口２３には、図３Ａに示すように、搬送部２５に接続された紙幣保留部２９が設けられている。この紙幣保留部２９には、搬送部２５から紙幣が送られるようになっている。また、紙幣返却口２３には開閉可能な扉２４が設けられている。紙幣保留部２９にある紙幣を返却する場合には、紙幣保留部２９の装置前面側の壁面が開いて、操作者は扉２４から紙幣を取り出すことができるようになっている。扉２４は、紙幣の取り出しが可能な状態になれば、自動的に開くようになっている。なお、後述のように、紙幣保留部２９内に保留された紙幣は、操作者により紙幣返却口２３から取り出される代わりに、貨幣収納部４０内に配置された紙幣収納カセット４１（後述）に送られる場合もある。【００３４】
搬送部２５は、紙幣処理装置２０の内部で紙幣を１枚ずつ順次搬送する機能を有している。具体的には、搬送部２５において、紙幣は一対のベルト間に挟まれて搬送路に沿って搬送されるようになっている。また、図３Ａに示すように、搬送部２５に設けられた搬送路は様々な箇所で分岐するようになっており、この搬送路が分岐する箇所には分岐部材（図示せず）が設けられている。各分岐部材は例えば分岐爪からなり、これらの分岐部材はそれぞれ後述する制御部１５により制御されるようになっている。図３Ａに示すように、搬送部２５は、紙幣投入口２１に投入された紙幣を紙幣リジェクト口２２、紙幣保留部２９または後述するリサイクル式紙幣収納部２７に搬送したり、あるいはリサイクル式紙幣収納部２７に一時的に収納された紙幣を紙幣リジェクト口２２や紙幣保留部２９に搬送したりするよう構成されている。【００３５】
図３Ａに示すように、搬送部２５には、当該搬送部２５で搬送される紙幣の識別を１枚ずつ行う識別部２６が介設されている。この識別部２６は、搬送部２５で搬送される紙幣の金種、真偽、正損等を識別するようになっている。具体的には、識別部２６は、磁気センサや光学センサを有し、これらのセンサにより紙幣の金種や真偽等を１枚ずつ識別するようになっている。識別部２６による紙幣の識別結果は後述する制御部１５に送られるようになっている。【００３６】
紙幣処理装置２０の内部には、リサイクル式紙幣収納部２７が複数（例えば３つ）並列に設けられている。ここで、複数のリサイクル式紙幣収納部２７ａ〜２７ｃは、概して金種別に用いられるようになっており、例えば日本円に係る紙幣を紙幣処理装置２０に処理させる場合には、千円札、５千円札、１万円札をそれぞれリサイクル式紙幣収納部２７ａ〜２７ｃに収納させるようになっている。場合によっては、リサイクル式紙幣収納部２７ｂに、２千円札と５千円札とを混合で収納する。なお、米ドル（１ドル札、２ドル札、５ドル札、１０ドル札、２０ドル札、５０ドル札、１００ドル札等）や人民元（１元札、５元札、１０元札、２０元札、５０元札、１００元札等）に係る紙幣を紙幣処理装置２０に処理させる場合には、これらの通貨に係る紙幣の金種は３つよりも多いため、リサイクル式紙幣収納部２７の数を増やすか、あるいはリサイクル式紙幣収納部２７に収納されるべき紙幣の金種を限定するようになっている。図３Ａに示すように、各リサイクル式紙幣収納部２７は、正逆両方向に回転可能なドラム２７ｐをそれぞれ有しており、各ドラム２７ｐに一対のテープが巻き取られるようになっている。搬送部２５から各リサイクル式紙幣収納部２７ａに送られた紙幣は、この一対のテープの間に挟まれた状態で１枚ずつ順次ドラム２７ｐにより巻き取られるようになっている。【００３７】
更に詳しく説明すると、各ドラム２７ｐは、図３Ａの紙面に直交する軸を中心として図３Ａの時計回りおよび反時計回りの両方向に回転するようになっている。各ドラム２７ｐの外周面には、それぞれ、一対のテープの各端部が各々同じ箇所で取り付けられており、各ドラム２７ｐが図３Ａの反時計回りに回転することにより一対のテープがドラム２７ｐに巻き取られるようになっている。このドラム２７ｐの駆動は後述する制御部１５により制御されるようになっている。そして、搬送部２５から各リサイクル式紙幣収納部２７に送られた紙幣は、一対のテープの間に挟持され、各ドラム２７ｐが図３Ａの反時計回りに回転することによりこの紙幣は一対のテープごと各ドラム２７ｐに１枚ずつ巻き取られるようになっている。この際に、複数の紙葉類は間隔をおいて１枚ずつ各ドラム２７ｐに巻き取られることとなる。一方、各ドラム２７ｐが図３Ａの時計回りに回転することにより、各ドラム２７ｐに巻き取られた一対のテープがこのドラム２７ｐから解放され、各リサイクル式紙幣収納部２７に収納された紙幣は搬送部２５に送られる。【００３８】
なお、各リサイクル式紙幣収納部２７は、上述のような、ドラムおよび一対のテープからなり紙幣が一対のテープの間に挟まれた状態でこの一対のテープごとドラムにより巻き取られるような構成に限定されることはなく、他の構成とすることもできる。例えば、各リサイクル式紙幣収納部２７をスタッカ式のものとしてもよい。【００３９】
紙幣保留部２９は、前述のように紙幣返却口２３に設けられており、図３Ａに示すように搬送部２５に接続されている。この紙幣保留部２９には、紙幣投入口２１に投入された紙幣や、各リサイクル式紙幣収納部２７に収納された紙幣が搬送部２５により送られるようになっており、搬送部２５から送られた紙幣を束状態で複数保留することができるようになっている。ここで、紙幣保留部２９にある紙幣を返却する場合には、前述のように、紙幣保留部２９の装置前面側の壁面が開いて、操作者は扉２４から紙幣を取り出すことができるようになっている。扉２４は、紙幣の取り出しが可能な状態になれば、自動的に開くようになっている。また、紙幣保留部２９に紙幣が保留される際に、紙幣は一時保留板に載せられるようになっており、紙幣保留部２９にある紙幣を紙幣収納カセット４１に収納させる際には、この紙幣収納カセット４１に設けられたステージが紙幣保留部２９の一時保留板に載せられた紙幣を迎えにいき、紙幣をステージ上に載せて紙幣保留部２９から紙幣収納カセット４１へ下降し、そしてステージ上の紙幣を上から押さえ部材で押さえて紙幣収納カセット４１へ収納するようになっている。【００４０】
次に、硬貨処理装置３０の構成について図２および図３Ｂを用いて説明する。図２および図３Ｂに示すように、硬貨処理装置３０は、当該硬貨処理装置３０内への硬貨の取り込みを行う硬貨投入口３１と、硬貨処理装置３０内に取り込まれた硬貨のうち後述する識別部３５ａにより識別不能な硬貨等のリジェクトを行ったり、硬貨処理装置３０内に取り込まれた硬貨のうち貨幣収納部４０に収納されない硬貨を硬貨処理装置３０の外部に返却したりする硬貨返却口３２とを備えている。また、図３Ｂに示すように、硬貨処理装置３０の内部には、硬貨投入口３１に投入された硬貨を硬貨処理装置３０内で搬送する搬送部３５が設けられている。【００４１】
硬貨投入口３１は、操作者により１または複数の硬貨が一括して投入されるよう構成されている。この硬貨投入口３１に投入された硬貨は、硬貨処理装置３０の内部に送られるようになっている。【００４２】
硬貨返却口３２は、搬送部３５の下流側端部に接続されており、この搬送部３５から送られた硬貨を貯留するようになっている。操作者はこの硬貨返却口３２に貯留された硬貨を取り出すことができるようになっている。ここで、硬貨返却口３２には、前述のように、硬貨処理装置３０内に取り込まれた硬貨のうち後述する識別部３５ａにより識別不能な硬貨等が送られるとともに、硬貨処理装置３０内に取り込まれた硬貨のうち貨幣収納部４０に収納されない硬貨が送られるようになっており、このような硬貨が硬貨返却口３２により硬貨処理装置３０の外部に返却されるようになっている。【００４３】
図３Ｂに示すように、硬貨処理装置３０の内部には硬貨繰出部３３が設けられている。この硬貨繰出部３３は硬貨投入口３１に連通しており、操作者により硬貨投入口３１から投入された硬貨を一時的に貯留するとともに、この貯留された硬貨を後述する搬送部３５に繰り出すようになっている。硬貨繰出部３３には硬貨繰出用の回転円板（図示せず）が設置されており、この回転円板により硬貨が１枚ずつ搬送部３５に繰り出されるようになっている。【００４４】
搬送部３５は、硬貨処理装置３０の内部で硬貨を１枚ずつ順次搬送する機能を有している。具体的には、搬送部３５において、硬貨は硬貨搬送ベルト（図示せず）によりやや斜めに立った状態で１枚ずつ間隔をおいて搬送されるようになっている。図３Ｂに示すように、搬送部３５の上流側端部および下流側端部は、硬貨繰出部３３および硬貨返却口３２にそれぞれ接続されている。【００４５】
図３Ｂに示すように、搬送部３５には、当該搬送部３５で搬送される硬貨の識別を１枚ずつ行う識別部３５ａが介設されている。この識別部３５ａは、搬送部３５で搬送される硬貨の金種や真偽等を識別するようになっている。具体的には、識別部３５ａは、磁気センサや光学センサを有し、これらのセンサにより硬貨の金種や真偽等を１枚ずつ識別するようになっている。識別部３５ａによる紙幣の識別結果は後述する制御部１５に送られるようになっている。【００４６】
硬貨処理装置３０の内部には、筒状の上入れ上出しタイプのリサイクル式硬貨収納部３４が複数（例えば６つ）並列に設けられており、各リサイクル式硬貨収納部３４はそれぞれ鉛直方向に延びるようになっている。ここで、複数のリサイクル式硬貨収納部３４ａ〜３４ｆは、概して金種別に用いられるようになっており、例えば日本円に係る硬貨を硬貨処理装置３０に処理させる場合には、１円硬貨、５円硬貨、１０円硬貨、５０円硬貨、１００円硬貨、５００円硬貨をそれぞれリサイクル式硬貨収納部３４ａ〜３４ｆに収納させるようになっている。なお、米ドル（１セント硬貨、５セント硬貨、１０セント硬貨、２５セント硬貨、５０セント硬貨、１ドル硬貨等）や人民元（１分硬貨、２分硬貨、５分硬貨、１角硬貨、５角硬貨、１元硬貨等）に係る硬貨を硬貨処理装置３０に処理させる場合には、これらの通貨の金種に対応するリサイクル式硬貨収納部３４がそれぞれ設けられている。各リサイクル式硬貨収納部３４には硬貨が積層状態で収納されるようになっている。【００４７】
図３Ｂに示すように、搬送部３５の途中部分には、硬貨繰出部３３から下流側に向かって順に、間隔をおいて７つの選別孔３６が設けられている。ここで、７つの選別孔３６のうち最も上流側にある選別孔３６（オーバーフロー用の選別孔３６）は、搬送部３５から後述する横方向搬送部３８に直接硬貨を送るために設けられている。具体的には、最も上流側にある選別孔３６は、識別部３５ａによる硬貨の識別結果が所定の条件を満たしたときに（例えば、識別部３５ａにより識別された硬貨の金種に対応するリサイクル式硬貨収納部３４が満杯であったときに）、この硬貨を横方向搬送部３８上に送るようになっている。また、上流側から２番目〜７番目の選別孔３６は、それぞれ各リサイクル式硬貨収納部３４ａ〜３４ｆに対応するものである。【００４８】
図３Ｂに示すように、鉛直方向にそれぞれ延びる各リサイクル式硬貨収納部３４の上部には、硬貨を一時的に保留する金種別硬貨一時保留部３９が設けられている。上述する各選別孔３６を介して搬送部３５から落下した硬貨は、まず金種別硬貨一時保留部３９により一時的に保留されるようになっている。この金種別硬貨一時保留部３９は、各々の金種の硬貨をそれぞれ例えば約１０枚保留することができるようになっている。そして、この金種別硬貨一時保留部３９に保留された硬貨が各リサイクル式硬貨収納部３４に収納されるようになっている。また、この金種別硬貨一時保留部３９は投出部材を有しており、この投出部材により、金種別硬貨一時保留部３９に保留された硬貨を後述する横方向搬送部３８上に投げ出すこともできるようになっている。【００４９】
一方、各リサイクル式硬貨収納部３４内に収納された硬貨がこのリサイクル式硬貨収納部３４から取り出される場合には、まずリサイクル式硬貨収納部３４の下部に設けられたステージ（図示せず）が上方に持ち上げられ、ステージ上の硬貨が金種別硬貨一時保留部３９に送られ、そしてこの硬貨は金種別硬貨一時保留部３９の投出部材により横方向搬送部３８上に投げ出されるようになっている。【００５０】
図３Ｂに示すように、硬貨処理装置３０の内部には硬貨保留部３７ａが設けられており、この硬貨保留部３７ａの上部にはシュート３７ｂが設置されている。ここで、後述する横方向搬送部３８からシュート３７ｂの上部に送られた硬貨は、当該シュート３７ｂ内を通過して硬貨保留部３７ａに送られるようになっている。硬貨保留部３７ａに一時的に保留された硬貨は、貨幣収納部４０内に配置された硬貨収納カセット４２（後述）に送られるようになっている。【００５１】
図３Ｂに示すように、硬貨処理装置３０の内部において、鉛直方向にそれぞれ延びる各リサイクル式硬貨収納部３４の近傍には、例えば略水平方向に延びる循環ベルト３８ａを有する横方向搬送部３８が設けられている。この循環ベルト３８ａは同じ高さレベルに設置された２つのプーリに掛けられており、一方のプーリが正逆両方向に回転駆動されることにより循環ベルト３８ａは図３Ｂの時計回りおよび反時計回りの両方に循環移動可能となっている。横方向搬送部３８の一端は硬貨繰出部３３内に位置しており、横方向搬送部３８の他端はシュート３７ｂの上部の近傍に位置している。前述のように、横方向搬送部３８の循環ベルト３８ａは正逆両方向に回転することができるようになっており、循環ベルト３８ａが図３Ｂにおける反時計回りに回転したときには、横方向搬送部３８上にある硬貨は硬貨繰出部３３に送られるようになっている。一方、循環ベルト３８ａが図３Ｂにおける時計回りに回転したときには、横方向搬送部３８上にある硬貨はシュート３７ｂに送られ、最終的には硬貨保留部３７ａで保留されることとなる。【００５２】
次に、貨幣処理機１０に設けられた他の様々な機構について説明する。図２に示すように、貨幣処理機１０の筐体１１の上面には、操作者が貨幣処理機１０の制御部１５（後述）に対して様々な指令を行うための操作部４５、および貨幣処理機１０における貨幣の処理内容等を表示する表示部４４が設けられている。ここで、操作部４５は、例えばテンキーや確定キー、スタートキー、取消キーならびにリセットキーを有しており、操作者が各キーを押すことにより貨幣処理機１０の制御部１５に対して様々な指令を行うことができるようになっている。表示部４４は、例えば液晶ディスプレイ（ＬＣＤ）から構成されている。【００５３】
また、筐体１１の前面には、貨幣処理機１０における貨幣の処理内容等を印字するプリンタ４３、および操作者の操作権限の確認を行うためのカードリーダ４６がそれぞれ設けられている。【００５４】
また、図２等に示すように、貨幣処理機１０の筐体１１の下部には貨幣収納部４０が設けられている。この貨幣収納部４０は、紙幣を収納する紙幣収納カセット４１、および硬貨を収納する硬貨収納カセット４２を有している。紙幣収納カセット４１には、紙幣処理装置２０の紙幣保留部２９に保留された紙幣が収納されるようになっており、硬貨収納カセット４２には、硬貨処理装置３０の硬貨保留部３７ａに保留された硬貨が収納されるようになっている。そして、例えば売上金の回収業務を委託された警備会社の警備員等の収集特定者によって、貨幣収納部４０の各カセット４１、４２が筐体１１の前面側へ引き出され、この収集特定者が各カセット４１、４２自体を回収するようになっている。【００５５】
ここで、前述のように、紙幣処理装置２０や硬貨処理装置３０は店舗側に管理権限がある。一方、貨幣収納部４０は収集特定者側に管理権限がある。このため、紙幣処理装置２０におけるリサイクル式紙幣収納部２７や、硬貨処理装置３０におけるリサイクル式硬貨収納部３４にある紙幣や硬貨に対する様々な処理や、この紙幣や硬貨の入出金情報や在高データへのアクセスは店舗側の権限のある操作者のみが行うことができる。一方、貨幣収納部４０にある紙幣や硬貨の回収は収集特定者のみが行うことができる。【００５６】
次に、貨幣処理機１０における各構成要素の制御を行う制御部１５について図４を用いて説明する。制御部１５は貨幣処理機１０の筐体１１内に設置されている。【００５７】
図４に示すように、制御部１５には、紙幣処理装置２０の各構成要素（例えば、搬送部２５、識別部２６、リサイクル式紙幣収納部２７、紙幣ステージ２８、紙幣保留部２９、扉２４等）、硬貨処理装置３０の各構成要素（例えば、硬貨繰出部３３、搬送部３５、識別部３５ａ、横方向搬送部３８、金種別硬貨一時保留部３９を含むリサイクル式硬貨収納部３４、硬貨保留部３７ａ等）、貨幣収納部４０、表示部４４、操作部４５、プリンタ４３、カードリーダ４６等が接続されている。また、制御部１５にはインターフェースを介してコントローラ１２（１７）が接続されている。【００５８】
制御部１５には、紙幣処理装置２０の識別部２６による紙幣の識別結果や、硬貨処理装置３０の識別部３５ａによる硬貨の識別結果が送られるようになっている。また、制御部１５には、操作部４５からの入力やカードリーダ４６によりカードから読み取られた操作者のＩＤ情報等の情報が送られるようになっている。制御部１５は、貨幣処理機１０の操作が行われる際は操作部４５やカードリーダ４６から入力された操作者のＩＤ情報をもとに操作者の権限の確認を行う。なお、権限はカードに付された権限により確認してもよい。また、制御部１５は、紙幣処理装置２０や硬貨処理装置３０の各構成要素を制御したり、表示部４４、プリンタ４３を制御したりするようになっている。【００５９】
コントローラ１２（１７）は、貨幣処理機１０の紙幣処理装置２０、硬貨処理装置３０および貨幣収納部４０のそれぞれに対して信号の送受信を行うようになっている。このような信号の送受信は制御部１５を介して行われる。【００６０】
中央制御装置を構成する現金センター１３またはデータセンター１４は、コントローラ１２（１７）を介して、貨幣処理機１０に対して当該貨幣処理機１０の各種処理に係る指令の信号を送信するようになっている。具体的には、現金センター１３は貨幣処理機１０に対して、締め命令、引渡命令、締め連動引渡命令、警備回収命令、納金命令、出金命令、補充命令、精算命令、両替命令、逆両替命令、枚数計数命令、リセット命令、確定命令、スタート命令、ロック解除命令、およびプログラムダウンロード命令からなる群のうち少なくとも１つの命令に係る信号を送信するようになっている。これらの各命令の詳細については後述する。【００６１】
また、中央制御装置を構成する現金センター１３またはデータセンター１４は、コントローラ１２（１７）を介して、貨幣処理機１０から当該貨幣処理機１０における貨幣の処理状況に係る情報の信号を受信するようになっている。具体的には、データセンター１４は、締めデータ、引渡データ、警備回収データ、リサイクル式貨幣収納部在高データ、納金データ、出金データ、補充データ、精算データ、両替データ、逆両替データ、枚数計数データ、在高データ、システムデータ、障害データ、およびプログラムデータからなる群のうち少なくとも１つのデータに係る信号を貨幣処理機１０から受信するようになっている。これらの各データの詳細については後述する。【００６２】
次に、このような構成からなる貨幣処理機１０の動作について説明する。【００６３】
上述のような貨幣処理機１０の動作としては、インターフェース確認モード、運用モードおよび保守メンテナンスモードの３つのモードがある。操作者は、操作部４５により、インターフェース確認モード、運用モードあるいは保守メンテナンスモードを選択することができる。【００６４】
インターフェース確認モードとは、貨幣処理機１０の初期状態において、すなわち貨幣処理機１０が導入された際に、インターフェース１６により貨幣処理機１０が上位装置等に通信接続されるか否かを確認するためのモードである。このようなインターフェース確認モードにおいて、インターフェース１６により貨幣処理機１０が上位装置等に通信接続されたときには、上位装置等から貨幣処理機１０に様々な設定データが送られる。【００６５】
運用モードには、貨幣処理機１０が上位装置等に通信接続された状態のオンラインモードと、貨幣処理機１０と外部との通信接続が遮断された状態のオフラインモードの２つの状態がある。オンラインモードには開店モードと閉店モードの２つのモードがあり、開店モードにおいて、操作者は後述する補充処理、納金処理、出金処理、引渡処理、大量引渡処理、両替処理、逆両替処理、精査処理、計数処理、締め処理、締め連動引渡処理等を行うことができる。また、この開店モードにおいては、例えば売上金の回収業務を委託された警備会社の警備員等の収集特定者によって、貨幣収納部４０の各カセット４１、４２自体の回収を行うこともできる（警備回収処理）。一方、閉店モードにおいては、収集特定者による貨幣収納部４０の各カセット４１、４２の回収のみしか行うことができない。なお、これらの開店モードおよび閉店モードの切り換えは、時間帯等による自動での切り替えも可能である。一方、オフラインモードにおいては、上位装置等に対する情報の伝達は行われず、納金処理等の処理結果は貨幣処理機１０内に設けられた記憶媒体（図示せず）に記憶されることとなる。上述の各モードの選択は、操作者が操作部４５により選択することができる。【００６６】
保守メンテナンスモードの際に、保守員が貨幣処理機１０の紙幣処理装置２０や硬貨処理装置３０の各構成要素の保守メンテナンスを行う。このような保守メンテナンスは、貨幣処理機１０が設置された現場で行ってもよく、貨幣処理機１０を工場等に持ち帰ってこの工場内で行ってもよい。【００６７】
上述した補充処理、納金処理、出金処理、引渡処理、大量引渡処理、両替処理、逆両替処理、精査処理、計数処理、締め処理、締め連動引渡処理、警備回収処理の各々の詳細について以下に説明する。以下に示す各処理は、制御部１５が各構成要素を制御することにより行われる。また、後に詳述するように、以下に示す補充処理、納金処理、出金処理、引渡処理、大量引渡処理、両替処理、逆両替処理、精査処理、計数処理、締め処理、締め連動引渡処理、警備回収処理の各々は、操作者により操作部４５を介して制御部１５に対して各種の命令がなされることにより、あるいは現金センター１３またはデータセンター１４からコントローラ１２（１７）を介して制御部１５に対して各種の命令がなされることにより行われる。【００６８】
＜補充処理＞
まず、紙幣や硬貨の補充処理について簡単に説明する。紙幣や硬貨の補充処理とは、紙幣を金種別に紙幣処理装置２０の各リサイクル式紙幣収納部２７に補充したり、硬貨を金種別に硬貨処理装置３０の各リサイクル式硬貨収納部３４に補充したりする処理のことをいう。【００６９】
＜納金処理＞
次に、紙幣や硬貨の納金処理について簡単に説明する。納金処理には、引渡連動形態のものと引渡非連動形態のものがある。引渡連動形態における納金処理とは、貨幣処理機１０に対して貨幣の納金を行い、そのまま引渡が連続して実行されるモードのことをいう。具体的には、紙幣はリサイクル式紙幣収納部２７に一時保留し、その後、紙幣保留部２９に保留し、最後に紙幣収納カセット４１に収納させる。また、硬貨は金種別硬貨一時保留部３９に保留し、その後、硬貨保留部３７ａに保留し、最後に硬貨収納カセット４２に収納させる。一方、引渡非連動形態における納金処理は、単に貨幣処理機に対して貨幣の納金のみが行われるモードのことをいう。その後、貨幣収納部４０へ貨幣の引き渡しを行いたければ、独立して引渡処理（後述）を行うこととなる。なお、引渡連動形態および引渡非連動形態は、貨幣処理機１０の設置時に設定されるようになっている。【００７０】
＜出金処理＞
次に、紙幣や硬貨の出金処理について簡単に説明する。紙幣や硬貨の出金処理とは、紙幣処理装置２０の各リサイクル式紙幣収納部２７に収納された紙幣を当該紙幣処理装置２０の外部に出したり、硬貨処理装置３０の各リサイクル式硬貨収納部３４に収納された硬貨を当該硬貨処理装置３０の外部に出したりする処理のことをいう。【００７１】
＜引渡処理＞
次に、紙幣や硬貨の引渡処理について説明する。ここで、紙幣や硬貨の引渡処理とは、紙幣処理装置２０の各リサイクル式紙幣収納部２７に収納された紙幣を貨幣収納部４０の紙幣収納カセット４１に送ったり、硬貨処理装置３０の各リサイクル式硬貨収納部３４に収納された硬貨を貨幣収納部４０の硬貨収納カセット４２に送ったりする処理のことをいう。このような引渡処理が行われると、各リサイクル式紙幣収納部２７や各リサイクル式硬貨収納部３４から貨幣収納部４０に送られた紙幣や硬貨は第１の管理権限下から第２の管理権限下に変更される。そして、各リサイクル式紙幣収納部２７や各リサイクル式硬貨収納部３４における紙幣や硬貨の在高は、引渡処理が行われた紙幣や硬貨の金額分だけ減少し、一方、貨幣収納部４０の紙幣収納カセット４１や硬貨収納カセット４２における紙幣や硬貨の在高は、引渡処理が行われた紙幣や硬貨の金額分だけ増加する。【００７２】
紙幣処理装置２０における紙幣の引渡処理について図５Ａおよび図５Ｂを用いて説明する。ここで、納金処理の引渡連動態様の場合には、操作者が何も操作しなくても、納金されたリサイクル式紙幣収納部２７の紙幣は紙幣保留部２９に送られて保留される（図５Ａ参照）。そして、操作部４５における「確定キー」を押すことにより、紙幣保留部２９に保留された紙幣は紙幣収納カセット４１に収納され、引渡処理がなされたことになる（図５Ｂ参照）。一方、納金の引渡非連動態様の場合には、所定金額（例えば、釣銭としてリサイクル式紙幣収納部２７へ残したい額を差し引いた額）だけリサイクル式紙幣収納部２７から紙幣が紙幣保留部２９に送られて保留される（図５Ａ参照）。そして、操作部４５における「確定キー」を押すことにより、紙幣保留部２９に保留された紙幣は紙幣収納カセット４１に収納され、引渡処理がなされたことになる（図５Ｂ参照）。前述のように、これらの引渡連動態様および引渡非連動態様は予め設定されたものである。【００７３】
硬貨処理装置３０における硬貨の引渡処理について図６Ａおよび図６Ｂを用いて説明する。ここで、納金処理の引渡連動態様の場合には、操作者が何も操作しなくても、納金されたリサイクル式硬貨収納部３４の硬貨は金種別硬貨一時保留部３９に送られ、この金種別硬貨一時保留部３９から硬貨が横方向搬送部３８に送られ（図６Ａ参照）、この横方向搬送部３８からシュート３７ｂを介して硬貨保留部３７ａで保留される。そして、操作部４５における「確定キー」を押すことにより、硬貨保留部３７ａに保留された硬貨は硬貨収納カセット４２に収納され、引渡処理がなされたことになる（図６Ｂ参照）。一方、納金の引渡非連動態様の場合には、所定金額（例えば、釣銭としてリサイクル式硬貨収納部３４へ残したい額を差し引いた額）だけリサイクル式硬貨収納部３４から硬貨が金種別硬貨一時保留部３９に送られて保留される。そして、この金種別硬貨一時保留部３９から硬貨が横方向搬送部３８に送られ（図６Ａ参照）、この横方向搬送部３８からシュート３７ｂを介して硬貨保留部３７ａで保留される。そして、操作部４５における「確定キー」を押すことにより、硬貨保留部３７ａに保留された硬貨は硬貨収納カセット４２に収納され、引渡処理がなされたことになる（図６Ｂ参照）。前述のように、これらの引渡連動態様および引渡非連動態様は予め設定されたものである。【００７４】
＜大量引渡処理＞
次に、紙幣や硬貨の大量引渡処理について説明する。ここで、紙幣や硬貨の大量引渡処理とは、大量の紙幣を貨幣収納部４０の紙幣収納カセット４１内に引渡したり、大量の硬貨を貨幣収納部４０の硬貨収納カセット４２内に引渡したりする処理のことをいう。【００７５】
紙幣処理装置２０における紙幣の大量引渡処理について図７Ａ〜図７Ｃを用いて説明する。大量引渡処理の指令が制御部１５に送られたときにおいて、操作者が紙幣処理装置２０の紙幣投入口２１に紙幣を投入したときには、紙幣投入口２１に投入された紙幣は１枚ずつ搬送部２５により搬送され、識別部２６において紙幣の識別が行われる。図７Ａに示すように、識別部２６により正常な紙幣であると識別された場合は、この紙幣は搬送部２５により紙幣保留部２９に送られる。一方、図７Ａに示すように、識別部２６により損券や偽札等のリジェクト紙幣であると識別された場合は、この紙幣は搬送部２５により紙幣リジェクト口２２に送られる。図７Ａに示すような紙幣の処理が行われる際に、識別部２６により紙幣の計数が行われる。【００７６】
上述のような紙幣の処理が行われた後、操作者が操作部４５における「確定キー」を押した場合には、図７Ｃに示すように、紙幣保留部２９に保留された紙幣は、貨幣収納部４０の紙幣収納カセット４１に送られる。【００７７】
一方、上述のような紙幣の処理が行われた後、操作者が操作部４５における「取消キー」を押し、納金取消処理の指令を制御部１５に送ったときには、図７Ｂに示すように、扉２４が自動的に開くことにより紙幣保留部２９に保留された紙幣が操作者により取り出されることとなる。【００７８】
次に、硬貨処理装置３０における硬貨の大量引渡処理について図８Ａ乃至図８Ｃを用いて説明する。大量引渡処理の指令が制御部１５に送られたときにおいて、操作者が硬貨処理装置３０の硬貨投入口３１に硬貨を投入したときには、硬貨投入口３１に投入された硬貨はまず硬貨繰出部３３に送られ、この硬貨繰出部３３から硬貨が１枚ずつ搬送部３５に繰り出される。搬送部３５に送られた硬貨は識別部３５ａにおいて識別が行われる。図８Ａに示すように、識別部３５ａにより正常な硬貨であると識別された場合は、この硬貨は搬送部３５も最も上流側に設けられた選別孔３６を介して横方向搬送部３８上に送られる。一方、図８Ａに示すように、識別部３５ａにより識別不能な硬貨等のリジェクト硬貨であると識別された硬貨は、搬送部３５により硬貨返却口３２に送られる。図８Ａに示すような硬貨の処理が行われる際に、識別部３５ａにより硬貨の計数が行われる。【００７９】
上述のような硬貨の処理が行われた後、操作者が操作部４５における「確定キー」を押したときには、図８Ｃに示すように、横方向搬送部３８上にある硬貨は当該横方向搬送部３８によりシュート３７ｂに送られ、この硬貨はシュート３７ｂから硬貨保留部３７ａに送られる。硬貨保留部３７ａに送られた硬貨は、最終的には貨幣収納部４０の硬貨収納カセット４２に送られる。【００８０】
一方、上述のような硬貨の処理が行われた後、操作者が操作部４５における「取消キー」を押し、納金取消処理の指令を制御部１５に送ったときには、図８Ｂに示すように、横方向搬送部３８上にある硬貨が硬貨繰出部３３に送られ、この硬貨は硬貨繰出部３３から搬送部３５を経て硬貨返却口３２に送られる。【００８１】
＜両替処理、逆両替処理＞
次に、紙幣や硬貨の両替処理および逆両替処理について簡単に説明する。紙幣や硬貨の両替処理および逆両替処理とは、紙幣や硬貨を紙幣処理装置２０内や硬貨処理装置３０内に取り込み、合計金額は同じであるが紙幣処理装置２０内や硬貨処理装置３０内に取り込んだ紙幣や硬貨の金種とは異なる金種の紙幣や硬貨を紙幣処理装置２０や硬貨処理装置３０の外部に戻すような処理のことをいう。【００８２】
＜精査処理＞
次に、紙幣や硬貨の精査処理について簡単に説明する。紙幣の精査処理とは、紙幣処理装置２０内にある紙幣を計数し、紙幣リジェクト口２２に出して枚数や金額を確認した後、再度入金させるような処理のことをいう。また、硬貨の精査処理とは、硬貨処理装置３０内にある硬貨を計数し、硬貨返却口３２に出して枚数や金額を確認した後、再度入金させるような通常の精査処理方法と、各リサイクル式硬貨収納部３４にある硬貨を横方向搬送部３８上へ送り、硬貨繰出部３３により繰り出して搬送部３５で搬送し、金種別硬貨一時保留部３９から各リサイクル式硬貨収納部３４に戻すようにした自動精査処理方法の２つの方法がある。ここで、硬貨の精査処理において、前者の方法を行うか後者の方法を行うかは、操作者が表示部４４を見ながら操作部４５により選択することができるようになっている。【００８３】
＜計数処理＞
次に、紙幣や硬貨の計数処理について簡単に説明する。紙幣や硬貨の計数処理とは、手元にある紙幣や硬貨がいくらあるかを計数する処理である。具体的には、紙幣の計数処理とは、紙幣処理装置２０内に紙幣を送り、正常な紙幣については紙幣保留部２９で一時保留し、異常な紙幣については紙幣リジェクト口２２に送ってリジェクトし、この際に紙幣の計数を行い、最終的に扉２４が自動的に開いて紙幣保留部２９にある紙幣が操作者により取り出されるような処理のことをいう。一方、硬貨の計数処理とは、硬貨処理装置３０内に硬貨を送り、正常な硬貨についてはオーバーフロー用の選別孔３６を通って横方向搬送部３８に送られ、異常な硬貨については硬貨返却口３２に送られ、このリジェクト硬貨を取り除いてから、横方向搬送部３８に送られた硬貨を硬貨繰出部３３、搬送部３５を介して硬貨返却口３２に送ってこの硬貨返却口３２にある硬貨が操作者により取り出されるような処理のことをいう。【００８４】
＜締め処理＞
次に、締め処理について簡単に説明する。操作者により操作部４５を介して制御部１５に対して締め命令がなされると、あるいは現金センター１３またはデータセンター１４からコントローラ１２（１７）を介して制御部１５に対して締め命令がなされると、処理期間内に、具体的には前回の締め処理から今回の締め処理までの間に、引渡処理によって紙幣収納カセット４１に収納された紙幣および硬貨収納カセット４２に収納された硬貨の金種別枚数または合計金額もしくは金種別金額のデータである締めデータを集計する。そして、この締めデータが中央制御装置に送信される。【００８５】
＜締め連動引渡処理＞
次に、締め連動引渡処理について説明する。操作者により操作部４５を介して制御部１５に対して締め連動引渡命令がなされると、あるいは現金センター１３またはデータセンター１４からコントローラ１２（１７）を介して制御部１５に対して締め連動引渡命令がなされると、まず上述のような引渡処理が行われ、引渡処理の終了後に引き続き上述のような締め処理が自動的に行われる。【００８６】
ここで、制御部１５に対して、上述のような締め連動引渡命令とともに締め金額に係る情報が送られると、制御部１５において、この締め金額から、所定期間内に、具体的には前回の締め処理から今回の締め処理までの間に、当該締め連動引渡命令が送られるまでに引渡処理が行われた紙幣や硬貨の金額を減算し、この減算した金額の引渡処理が行われるようになっている。そして、引渡処理が行われた後、引き続き上述のような締め処理が自動的に行われる。【００８７】
あるいは、制御部１５に対して、上述のような締め連動引渡命令とともに引渡金額に係る情報が送られると、当該引渡金額分の引渡処理が行われるようになっている。そして、引渡処理が行われた後、引き続き上述のような締め処理が自動的に行われる。【００８８】
また、制御部１５に対して、上述のような締め連動引渡命令とともに残置金額または残置する金種毎の枚数に係る情報が送られると、制御部１５は、残置金額または残置する金種毎の枚数に係る紙幣や硬貨を紙幣処理装置２０の各リサイクル式紙幣収納部２７や硬貨処理装置３０の各リサイクル式硬貨収納部３４に残し、余剰分の紙幣や硬貨について引渡処理を行うようになっている。そして、引渡処理が行われた後、引き続き上述のような締め処理が自動的に行われる。【００８９】
また、制御部１５に対して、締め連動引渡命令のみが送られ、締め金額や引渡金額、あるいは残置金額等が送られない場合には、予め設定された金額または予め設定された金種毎の枚数の紙幣や硬貨を紙幣処理装置２０の各リサイクル式紙幣収納部２７や硬貨処理装置３０の各リサイクル式硬貨収納部３４に残し、余剰分の紙幣や硬貨について引渡処理を行うようになっている。そして、引渡処理が行われた後、引き続き上述のような締め処理が自動的に行われる。【００９０】
また、制御部１５は、紙幣処理装置２０の各リサイクル式紙幣収納部２７や硬貨処理装置３０の各リサイクル式硬貨収納部３４に収納される紙幣や硬貨の量が所定量に達した場合には、各リサイクル式紙幣収納部２７や各リサイクル式硬貨収納部３４に収納される紙幣や硬貨の量が、この所定量よりも少ない予め設定された収納量になるまで、引渡処理を行い、この引渡処理の終了後に引き続き上述のような締め処理を行うようになっていてもよい。ここで、前述の所定量とは、各リサイクル式紙幣収納部２７や各リサイクル式硬貨収納部３４におけるフルまたはニアフルの量となっている。【００９１】
＜警備回収処理＞
次に、警備回収処理について簡単に説明する。警備回収処理の指令が制御部１５に送られたとき、制御部１５は貨幣収納部４０の扉のロックを解除し、紙幣収納カセット４１と硬貨収納カセット４２とを取り出し可能とする。収集特定者側の警備員等が、各カセットを取り出して代わりのカセットと交換して扉を閉じると、回収された紙幣や硬貨の金種別枚数または合計金額もしくは金種別金額のデータである警備回収データが中央制御装置に送信される。【００９２】
以上の各処理は、納金処理の引渡連動態様の引渡処理を除き、操作部４５を操作して各処理を選択する等の必要な入力を行い、スタートキーを押下することにより開始される。また、補充処理、納金処理においては、取消キーが押下できるタイミングで確定キーを押下すると、処理が確定して終了する。【００９３】
あるいは、前述のように、現金センター１３またはデータセンター１４が貨幣処理機１０に対して、締め命令、引渡命令、締め連動引渡命令、警備回収命令、納金命令、出金命令、補充命令、精算命令、両替命令、逆両替命令、枚数計数命令、リセット命令、確定命令、スタート命令、ロック解除命令、およびプログラムダウンロード命令からなる群のうち少なくとも１つの命令に係る信号を送信するようになっている。これらの命令は、上述の各処理における操作部４５の操作に代わるものである。【００９４】
ここで、「締め命令」とは、上述のような締め処理を貨幣処理機１０に行わせる指令のことをいい、「引渡命令」とは、上述のような引渡処理を貨幣処理機１０に行わせる指令のことをいい、「締め連動引渡命令」とは、上述のような締め連動引渡処理を貨幣処理機１０に行わせる指令のことをいい、「警備回収命令」とは、上述のような警備回収処理を貨幣処理機１０に行わせる指令のことをいう。【００９５】
また、「納金命令」とは、上述のような納金処理を貨幣処理機１０に行わせる指令のことをいい、「出金命令」とは、上述のような出金処理を貨幣処理機１０に行わせる指令のことをいい、「補充命令」とは、上述のような補充処理を貨幣処理機１０に行わせる指令のことをいう。また、「精算命令」とは、上述のような精算処理を貨幣処理機１０に行わせる指令のことをいう。【００９６】
また、「両替命令」とは、上述のような両替処理を貨幣処理機１０に行わせる指令のことをいい、「逆両替命令」とは、上述のような逆両替処理を貨幣処理機１０に行わせる指令のことをいい、「枚数計数命令」とは、上述のような計数処理を貨幣処理機１０に行わせる指令のことをいう。また、「リセット命令」とは、貨幣処理機１０に対して操作部４５のリセットキーを押すのと同等の効果の動作を行わせる指令のことをいい、「確定命令」とは、貨幣処理機１０に対して操作部４５の確定キーを押すのと同等の効果の動作を行わせる指令のことをいう。また、「スタート命令」とは、貨幣処理機１０に対して操作部４５のスタートキーを押すのと同等の効果の動作を行わせる指令のことをいい、「ロック解除命令」とは、貨幣処理機１０のロック状態を解除させる指令のことをいい、「プログラムダウンロード命令」とは、現金センター１３またはデータセンター１４の記憶装置に記憶されたプログラムを制御部１５にダウンロードさせる指令のことをいう。このように、現金センター１３またはデータセンター１４から貨幣処理機１０を遠隔操作できることにより、店舗内に権限のある操作者が常駐しておらずとも、入出金システムを運用することができる。【００９７】
また、貨幣処理機１０から現金センター１３またはデータセンター１４に、締めデータ、引渡データ、警備回収データ、リサイクル式貨幣収納部在高データ、納金データ、出金データ、補充データ、精算データ、両替データ、逆両替データ、枚数計数データ、在高データ、システムデータ、障害データ、およびプログラムデータからなる群のうち少なくとも１つのデータに係る信号を送信するようになっている。【００９８】
ここで、「締めデータ」とは、前回の締め処理から今回の締め処理の間における、貨幣処理機１０における引渡処理により貨幣処理機１０の貨幣収納部４０に収納された紙幣や硬貨の金種毎の数量等の情報のことをいい、「引渡データ」とは、貨幣処理機１０における引渡処理により紙幣処理装置２０や硬貨処理装置３０から貨幣収納部４０に引き渡された紙幣や硬貨の金種毎の数量等、すなわち第１の管理権限下から第２の管理権限下に変更された紙幣や硬貨の金種毎の数量等の情報のことをいい、「警備回収データ」とは、収集特定者が貨幣収納部４０から回収した紙幣収納カセット４１や硬貨収納カセット４２内にある紙幣や硬貨の金種毎の数量等の情報のことをいう。【００９９】
また、「リサイクル式貨幣収納部在高データ」とは、紙幣処理装置２０のリサイクル式紙幣収納部２７に一時的に収納された紙幣や硬貨処理装置３０のリサイクル式硬貨収納部３４に一時的に収納された硬貨の在高（金種毎の数量）等の情報のことをいう。また、「納金データ」とは、貨幣処理機１０において納金処理が行われた紙幣や硬貨の金種毎の数量等の情報のことをいい、「出金データ」とは、貨幣処理機１０において出金処理が行われた紙幣や硬貨の金種毎の数量等の情報のことをいい、「補充データ」とは、貨幣処理機１０において補充処理が行われた紙幣や硬貨の金種毎の数量等の情報のことをいう。【０１００】
また、「精算データ」とは、リサイクル式紙幣収納部２７から紙幣リジェクト口２２や紙幣返却口２３に戻された紙幣やリサイクル式硬貨収納部３４から硬貨返却口３２に戻された硬貨の金種毎の数量等の情報のことをいう。また、「両替データ」とは、貨幣処理機１０において両替処理が行われた紙幣や硬貨の金種毎の数量等の情報のことをいい、「逆両替データ」とは、貨幣処理機１０において逆両替処理が行われた紙幣や硬貨の金種毎の数量等の情報のことをいい、「枚数計数データ」とは、貨幣処理機１０において計数処理が行われた紙幣や硬貨の金種毎の数量等の情報のことをいう。【０１０１】
また、「在高データ」とは、貨幣収納部４０の紙幣収納カセット４１や硬貨収納カセット４２に収納された紙幣や硬貨の金種毎の数量等の情報のことをいい、「システムデータ」とは、貨幣処理機１０の紙幣処理装置２０、硬貨処理装置３０、貨幣収納部４０の各構成要素の仕様等の情報のことをいい、「障害データ」とは、貨幣処理機１０に故障や障害が発生したときにおける障害の発生箇所や種類等の情報のことをいい、「プログラムデータ」とは、制御部１５に設けられたプログラムに関する情報のことをいう。【０１０２】
このようにデータセンター１４または現金センター１３から貨幣処理機１０の情報を得ることができるので、店舗内に権限のある操作者が常駐していなくとも、貨幣入出金処理システムの運用ができる。各データについて、データを取得した日時や店舗識別情報、貨幣処理機識別情報を含め、いつ、どの貨幣処理機から取得したデータであるかを明確にする。また、締めデータ、引渡データ、警備回収データ、納金データ、出金データ、補充データ、精算データ、両替データ、逆両替データ、枚数計数データおよび障害データについては、操作者のＩＤ情報等、操作者に関する情報や操作を行った日時も含めることにより、誰がいつどの貨幣処理機１０にどのように貨幣に関する操作を行ったのかを管理することができる。【０１０３】
以上のように本実施の形態の貨幣入出金処理システムによれば、紙幣処理装置２０や硬貨処理装置３０は第１の管理権限下にあり、貨幣収納部４０は第２の管理権限下にあり、そして、制御部１５は、引渡命令を受けると、紙幣処理装置２０の各リサイクル式紙幣収納部２７や硬貨処理装置３０の各リサイクル式硬貨収納部３４に収納された紙幣や硬貨を貨幣収納部４０に送る引渡処理を行い（この際に、引渡処理が行われた紙幣や硬貨は第１の管理権限下から第２の管理権限下に変更される）、締め命令を受けると、所定期間内に引渡処理が行われた紙幣や硬貨の金額または金種毎の数量である締め金額を集計する締め処理を行い、締め連動引渡命令を受けると、引渡処理を行い、引渡処理の終了後に引き続き締め処理を自動的に行う締め連動引渡処理を行うようになっている。このため、引渡処理の後に締め処理を引き続き行いたい場合には、制御部１５に対して締め連動引渡命令を送るだけで、一度の操作により引渡処理およびこの引渡処理に引き続く締め処理の両方を行うことができ、このため操作者が引渡処理を行った後に待機する必要がなくなる。このことにより、操作者の作業効率を向上させることができる。
【図１Ａ】
2010016102.tif 000003
【図１Ｂ】
2010016102.tif 000004
【図２】
2010016102.tif 000005
【図３Ａ】
2010016102.tif 000006
【図３Ｂ】
2010016102.tif 000007
【図４】
2010016102.tif 000008
【図５Ａ】
2010016102.tif 000009
【図５Ｂ】
2010016102.tif 000010
【図６Ａ】
2010016102.tif 000011
【図６Ｂ】
2010016102.tif 000012
【図７Ａ】
2010016102.tif 000013
【図７Ｂ】
2010016102.tif 000014
【図７Ｃ】
2010016102.tif 000015
【図８Ａ】
2010016102.tif 000016
【図８Ｂ】
2010016102.tif 000017
【図８Ｃ】
2010016102.tif 000018
【国際調査報告】
2010016102.tif 000019
2010016102.tif 000020